(57)【要約】  実際規模の無人試験施設は、モジュール式の人工構造物を構築すること、モジュール式の人工構造物を評価すること、モジュール式の人工構造物の使用を評価すること、及び／又はその他の目的のために構成される。この構造物は、ユーザが構成可能なシミュレーションされた環境内に配置される。一又は複数の構造物は、シミュレーションされた環境において住人によって使用されることをシミュレーションするように構成される。構築された構造物は、試験後、他のユーザが当該環境又は構造物を再構成するときまで、シミュレーションされた環境内の構築された場所に残される。追加の構造物が構築及び／又は改築されるとき、新しい構造物と古い構造物は隣り合って稼動し、例えば、新しい技術及び／又は異なる技術を同じ構造物に対して試験する機会が生じる。
2015518563.tif 000002
【特許請求の範囲】
【請求項１】
人工構造物を構築及び／又は評価するために構成された実際規模の無人試験施設であって、
人工構造物が構築される環境条件をシミュレーションし、当該シミュレーションされた環境条件における人工構造物の使用をシミュレーションするように構成された、ユーザが構成可能な無人の環境を備え、
前記ユーザが構成可能な環境は、
都市内のインフラ及び人工構造物をシミュレーションするように構成された都市環境と、
都市周辺のインフラ及び人工構造物をシミュレーションするように構成された郊外環境と、
非都市非郊外地域のインフラ及び人工構造物をシミュレーションするように構成された農村環境と、
を含む、試験施設。
【請求項２】
前記都市環境内の前記人工構造物が所定の構造物密度を有し、前記構造物密度が、構造物の総内部平方フィート（メートル）を所与の土地面積で除算した値である、請求項１に記載の試験施設。
【請求項３】
郊外の構造物密度が前記都市の構造物密度よりも低い、請求項２に記載の試験施設。
【請求項４】
農村の構造物密度が前記郊外の構造物密度よりも低い、請求項３に記載の試験施設。
【請求項５】
前記構造物密度が、前記都市環境、前記郊外環境、及び／又は前記農村環境の全体にわたって地理的に異なっている、請求項４に記載の試験施設。
【請求項６】
前記人工構造物が構造物の寸法上の差異を有し、構造物の高さ、幅、及び／又は奥行きが構造物ごとに異なっている、請求項１に記載の試験施設。
【請求項７】
前記都市環境内の前記人工構造物が
一又は複数の４階以下の低層構造物、又は
一又は複数の４階より高い高層構造物、
のうちの一又は複数を含む、請求項６に記載の試験施設。
【請求項８】
前記郊外環境及び／又は前記農村環境内の前記構造物が、４階以下の構造物を含む一又は複数の低層構造物を有する、請求項６に記載の試験施設。
【請求項９】
請求項１に記載の試験施設であって、前記都市環境内のインフラが輸送インフラを含み、前記輸送インフラが地下鉄システムと自動車輸送ネットワークとを含み、
前記地下鉄システムが、前記都市環境内の異なる位置に乗客を輸送するための、地下の線路、及び街路から入ることができる地上／地下の乗客乗降駅を含み、
前記自動車輸送ネットワークが、
道路、交差点、自動交通案内、一時停止標識、駐車場、及び交通監視カメラのうちの一又は複数を含む道路ネットワークと、
地上の複数車線道路、地下の複数車線道路、ランプを用いた高速道路、ランプ流入調整灯を用いた高速道路、高速道路出口ランプ、料金所、及び高速道路間乗換ランプのうちの一又は複数を含む高速道路ネットワークと、
を含む、試験施設。
【請求項１０】
請求項１に記載の試験施設であって、前記郊外環境内のインフラが輸送インフラを含み、前記輸送インフラが自動車輸送ネットワークを含み、
前記自動車輸送ネットワークが、
道路、交差点、自動交通案内、一時停止標識、駐車場、及び交通監視カメラのうちの一又は複数を含む道路ネットワークと、
地上の複数車線道路、地下の複数車線道路、ランプを用いた高速道路、ランプ流入調整灯を用いた高速道路、高速道路出口ランプ、料金所、自動交通案内、及び高速道路間乗換ランプのうちの一又は複数を含む高速道路ネットワークと、
を含む試験施設。
【請求項１１】
前記郊外環境の前記自動車輸送ネットワークが、前記都市環境の前記自動車輸送ネットワークよりも低密度であり、自動車輸送ネットワークの密度が、所与の土地面積ごとの道路の数、道路ごとの車線の数、所与の土地面積ごとの高速道路の数、高速道路ごとの車線の数、所与の土地面積ごとの道路交差点の数、所与の土地面積ごとの高速道路交差点の数、土地面積ごとの駐車場の数、及び所与の土地面積ごとの自動交通案内の量のうちの一又は複数からなる、請求項９に記載の試験施設。
【請求項１２】
請求項１に記載の試験施設であって、前記農村環境内のインフラが輸送インフラを含み、前記輸送インフラが自動車輸送ネットワークを含み、
前記自動車輸送ネットワークが、舗装道路、未舗装道路、交差点、駐車場、及び自動交通案内のうちの一又は複数を含む、試験施設。
【請求項１３】
前記農村環境の前記自動車輸送ネットワークが、前記郊外環境の前記自動車輸送ネットワークよりも低密度であり、自動車輸送ネットワークの密度が、所与の土地面積ごとの道路の数、道路ごとの車線の数、所与の土地面積ごとの高速道路の数、高速道路ごとの車線の数、所与の土地面積ごとの道路交差点の数、所与の土地面積ごとの高速道路交差点の数、土地面積ごとの駐車場の数、及び所与の土地面積ごとの自動交通案内の量のうちの一又は複数からなる、請求項１１に記載の試験施設。
【請求項１４】
農村地域のインフラが一又は複数の空き地地帯を含み、
空き地地帯は、
人工構造物間の空き地と、
農地、放牧用地、及び人工構造物のない未開発の土地のうちの一又は複数と、
を含む、請求項１に記載の試験施設。
【請求項１５】
前記都市環境内の構造物が文化施設を含み、前記文化施設が美術館、競技場、動物園、コンサート会場のうちの一又は複数を含む、請求項１に記載の試験施設。
【請求項１６】
前記都市環境及び／又は前記郊外環境内の前記インフラが公園を含み、前記公園が公開草地、樹木、プール、グラウンド、及び体育館のうちの一又は複数を含む、請求項１に記載の試験施設。
【請求項１７】
前記都市環境、前記郊外環境、及び／又は前記農村環境が、典型的な総合電磁環境をシミュレーションする、請求項１に記載の試験施設。
【請求項１８】
人工構造物を構築及び／又は評価するために構成された実際規模の無人試験施設であって、
住人による使用をシミュレーションするために構築された再構成可能な人工の構造物と、
プロセッサと、
を備え、当該プロセッサは、
入力情報を取得し、
前記入力情報に応答して、一又は複数の全施設制御パラメータを調整する
ように構成され、
前記入力情報は、周囲条件、架空の気象条件、時刻、地理的位置、前記構造物と相互作用する人及び／又はエンティティ、前記構造物と相互作用するエンティティのサイズ及び／又は人の数、及び前記構造物と相互作用する人の経歴情報、のうちの一又は複数を含み、
前記調節された全施設制御パラメータは、機械的負荷、電気的負荷、温度、湿度、電力使用量、及び水使用量のうちの一又は複数を含む、
試験施設。
【請求項１９】
住人による使用をシミュレーションするために構築された一又は複数の再構成可能な人工の構造物は、家屋、オフィスビル、共同住宅、街路、高速道路、及び橋梁のうちの一又は複数を含む、請求項１８に記載の試験施設。
【請求項２０】
前記プロセッサは、前記入力情報に基づいて構造物固有構成要素制御パラメータを推計し、前記推計に基づいて構造物の構成要素を制御する、請求項１８に記載の試験施設。
【請求項２１】
構造物の構成要素は、ヒーター、エアコン、家電製品、シンク、シャワー、蛇口、トイレ、電子装置、照明、窓、及び扇風機のうちの一又は複数を含む、請求項１８に記載の試験施設。
【請求項２２】
温度、湿度、圧力、大気質、風速、及び光レベルのうちの一又は複数を含む、人工構造物の内部及び／又はその周辺の周囲条件と、
全施設制御パラメータと、
ヒーター、エアコン、家電製品、シンク、シャワー、蛇口、トイレ、電子装置、照明、窓、及び扇風機のうちの一又は複数を含む構造物の構成要素を制御する構造物構成要素制御パラメータと、
構造物性能であって、構造物性能に関する情報はシミュレーションされた使用に対する反応を含み、シミュレーションされた使用に対する反応は、エネルギーの使用量、エネルギーの使用効率、環境への熱損失、環境からの熱獲得、構造物の経時的な損耗及び破損、電気的負荷に対する反応、温度負荷に対する反応、及び機械的負荷に対する反応のうちの一又は複数を含む、構造物性能と、
に関する情報を伝達する出力信号を生成するように構成された一又は複数のセンサをさらに備える、請求項１８に記載の試験施設。
【請求項２３】
人工構造物を構築及び／又は評価するために構成された実際規模の無人試験施設であって、
ユーザが構成可能な無人の環境と、
地下監視設備と、
を備え、
前記無人の環境は、
人工の構造物が構築される環境条件をシミュレーションし、
前記シミュレーションされた環境条件で人工構造物の使用をシミュレーションする
ように構成され、
前記ユーザが構成可能な環境は、
都市内のインフラ及び構造物をシミュレーションするように構成された都市環境と、
都市周辺のインフラ及び構造物をシミュレーションするように構成された郊外環境と、
非都市非郊外地域のインフラ及び構造物をシミュレーションするように構成された農村環境と、
を含み、
前記地下監視設備は、前記シミュレーションされた環境及び／又は人工構造物のシミュレーションされた使用を、シミュレーションを中断することなく監視することを可能にするように構成される、
試験施設。
【請求項２４】
前記地下監視設備は、前記試験施設のシミュレーションされた環境及び／又は人工構造物の全体にわたって分散している地上のアクセス・ポイントを伴う相互接続された部屋及び／又は通路を含む、請求項２３に記載の試験施設。
【請求項２５】
地下監視設備は一又は複数の地上のアクセス・ポイントから入ることができ、当該アクセス・ポイントはその使用の際にシミュレーションを中断することがないように構成される、請求項２３に記載の試験施設。
【請求項２６】
前記地下監視設備は前記シミュレーションされた環境、前記人工構造物、及び／又は前記試験施設の外部と無線又は有線で通信するように構成される、請求項２３に記載の試験施設。
【請求項２７】
前記地下監視設備が、部屋、トンネル、廊下、オフィス、会議室、実験室設備、コンピュータ設備、電気通信インフラ、及び駐車場のうちの一又は複数を含む、請求項２３に記載の試験施設。
【請求項２８】
前記地下監視設備は、前記シミュレーションされた環境及び／又は人工構造物の拡張に合わせて拡張できる、請求項２３に記載の試験施設。
【請求項２９】
前記シミュレーションされた環境の監視及び／又は前記人工構造物のシミュレーションされた使用の監視は、
架空の気象条件、時刻、地理的位置、前記構造物と相互作用する人及び／又はエンティティ、前記構造物と相互作用するエンティティのサイズ及び／又は人の数、及び前記構造物と相互作用する人の経歴情報、のうちの一又は複数を含む入力情報のアップロード及び／又は監視と、
機械的負荷、電気的負荷、温度、湿度、電力使用量、又は水使用量のうちの一又は複数を含む全施設制御パラメータの監視と、
推計された構造物固有の構成要素制御パラメータの監視であって、構造物の構成要素は、ヒーター、エアコン、家電製品、シンク、シャワー、蛇口、トイレ、電子装置、照明、窓、及び扇風機のうちの一又は複数を含む、監視と、
を含む、請求項２３に記載の試験施設。
【請求項３０】
人工構造物を構築及び／又は評価するために構成された実際規模の無人試験施設であって、
将来の建築物との接続及び／又は将来の試験のうちの一又は複数のために構成された、再構成可能なモジュール式の構造物を含み、
モジュール性は、
構造物の外側の穴であって、電気通信及び／又はセンサ装置を前記構造物に接続／切断すること、電力線を前記構造物に接続／切断すること、水道を前記構造物に接続／切断すること、構造物の評価に関する一又は複数のパラメータを監視すること、のうちの一又は複数のために構成される、穴と、
前記構造物に対する一又は複数の将来の追加の建築物のために構成された機械的接続点と、
試験施設の未開発地域内での公共設備の事前敷設であって、事前敷設される公共設備は、水道、電力、及び電気のうちの一又は複数を含む、事前敷設
を含む、試験施設。
【請求項３１】
前記人工構造物を構築するために用いられる建設材料は、レンガ、石、漆喰、コンクリート、強化コンクリート、塗料、木材、金属、壁板、屋根板、ガラス、ポリマー、及び絶縁材のうちの一又は複数を含む、請求項３０に記載の試験施設。
【発明の詳細な説明】
【技術分野】
【０００１】
（関連出願の相互参照）
本出願は、２０１２年３月３０日に出願された米国特許出願第１３／４３６，５３１号の優先権を主張し、この米国特許出願の全内容が引用により本明細書に組み入れられる。
【０００２】
本発明は、実世界をシミュレーションした環境における人工構造物の使用をシミュレーションする、及び／又は評価するように構成された、実際規模の、完全に統合された、学際的な、無人試験用、評価用、及び／又は認定用施設に関する。
【背景技術】
【０００３】
通常、実際規模のシミュレーション、評価、及び／又は試験は実験室の完全性及び特異性において実施される。シミュレーションは１回にただ１つの構造物に対して実施される。試験中の監視は初歩的で、及び／又はシミュレーションされた構造物は試験後に解体又は分解される。例えば、地震の最中の構造物の性能を向上させる取り組みにおいて、大学の地震実験室（屋内）に実際規模の建物が構築されることがある。この構造物に対して地震がシミュレーションされ、建物の構造部材にかかる力が監視される。試験後には、建物の損傷が手作業で検査される。この建物は分解と再構築を何度も繰り返し、地震のシミュレーションに何度も使われる。
【０００４】
産業分野に集中した中核的研究拠点は、通常１つの産業分野に集中している（例えば、エネルギー、防衛、運輸、生物医学など）。これらの研究環境で行われる試験、評価、及び／又は認定は、通常学際的でなく、純粋な実験室環境で行われ、実際規模では行われない。
【０００５】
実験室の環境条件の外での実際規模の構造シミュレーションは、多くの場合テレビ番組／映画製作の目的で行われる。テレビ番組／映画製作のための構造物は一般的な環境条件、例えば家屋、オフィス、学校、及び／又はその他の環境条件をシミュレーションするように構築される。しかし、テレビ番組／映画製作のために構築される構造物は部分的な構造物に過ぎず、実際の構造物の全面的なシミュレーションにはならない。例えば、構造物に外壁がない場合や、稼働中の器具がない場合、また水道管につながれていない場合などがある。また、テレビ番組／映画製作のために構築される構造物は、実験上の理由で監視されていない。これらの構造物は、シミュレーションの間に構造物の性能を監視するためのセンサ、配線、プロセッサ、及び／又はその他装置を含んでいない。
【０００６】
実際規模の構造シミュレーションはまた、訓練目的で軍隊によって使用される。訓練目的で構築される構造物は通常部分的な構造物に過ぎず、実際の構造物の全面的なシミュレーションにはならない。多くの場合、これらの構造物は正面及び／又は外壁のみであり、屋内の細部を有さない。シミュレーションされた構造物が軍隊によって監視された場合、それは軍隊の能力のために監視されるのであって、構造物の性能のために監視されるのではない。
【発明の概要】
【０００７】
本発明は、実世界をシミュレーションした環境における人工構造物の使用をシミュレーションする、及び／又は評価するように構成された、実際規模の、完全に統合された、学際的な、無人試験用、評価用、及び／又は認定用施設に関する。この施設は、典型的な共同体を維持するのに十分な、全面的に稼動しているインフラによって、典型的な共同体の諸相をシミュレーションするように構成される。この施設は、訓練、稼動試験、技術試験、及び／又はその他の目的のために構成される。試験には、破壊試験及び／又は非破壊試験がある。
【０００８】
この施設は、一又は複数のユーザ用途に関する構造物を試験するように構成された性能試験場を有し、これらユーザ用途には、例えば、高度道路交通システム、代替エネルギー（例えば、風力、太陽光）、発電、スマート・グリッド技術、電気通信、資源開発（例えば、淡水化）、安全管理（例えば、物理的安全管理、サイバー安全管理）、及び／又はその他の用途が含まれる。この試験施設は、システム・コンテキストのシステム内の他の進行中の活動と統合される試験及び／又は評価能力を提供する。制限された規模の実験室や研究施設の外で、学際的で、不完全で、稼動中で、機能している、従来の環境において、新しい技術が導入、試験、及び計測される。研究者は技術試験能力及び／又は方法の隔たりを評価することができる。研究者は、一又は複数のシミュレーションされた環境において、性能を評価し、システム（及び／又はシステムのシステム）の設計の妥当性を確認することができる。商業化以前に、研究者は新しい技術が特定の分野だけでなく経済全体に対して与える影響をより理解することが可能になる。
【０００９】
本発明の一態様は実際規模の無人試験施設に関する。この試験施設は、モジュール式の人工構造物を構築すること、モジュール式の人工構造物を評価すること、モジュール式の人工構造物の使用を評価すること、及び／又はその他の目的のために構成される。この構造物は、ユーザが構成可能なシミュレーションされた環境内に配置される。一又は複数の構造物は、シミュレーションされた環境において住人によって使用されることをシミュレーションするように構成される。この試験施設は、ユーザが構成可能なシミュレーションされた環境、構造物、ユーザ・インターフェース、センサ、プロセッサ、監視設備、及び／又はその他の構成要素のうちの一又は複数を含む。
【００１０】
「無人」の用語によって提供される試験施設の機能性の記述は、限定を意図したものではなく、この試験施設の稼動及び／又はその他の目的のために居住が必要となる場合もある。例えば、施設の消防署にとっては、試験施設内に住居を設置することが必要になる。それは、消防署は安全上の理由で１日２４時間、周７日のシフト稼動をする必要があるからである。
【００１１】
ユーザが構成可能なシミュレーションされた環境の例として、都市環境、郊外環境、農村環境、及び／又はその他の環境がある。ユーザが構成可能な環境は、環境内のインフラ及び／又は構造物をシミュレーションするように構成される。建物、電気通信インフラ、運輸インフラ、公共設備インフラ、及び／又はその他のインフラのシミュレーションされた密度は、都市から郊外、農村へと移動するにつれて低下する。空き地は都市から郊外、農村へと移動するにつれて増加する。
【００１２】
ユーザが構成する環境は、１つの環境から他の環境への変化をシミュレーションするように地理的に配置されている。例えば、都市環境と農村環境との間に郊外環境を配置することによって、都市から郊外への変化及び郊外から農村への変化をシミュレーションすることができる。
【００１３】
環境内における構造物の密度は、構造物の総内部平方フィート（メートル）を所与の土地面積で除算した値となる。所与の土地面積内の構造物の内部平方フィートは、構造物の高さ及び／又は構造物ごとの階数、構造物間の距離、及び構造物の占有面積（幅×奥行き）によって変化する。構造物の寸法（例えば、高さ、幅、及び／又は奥行き）は、構造物ごとに異なる。構造物の密度は、単一の環境内において、及び／又は試験施設の都市環境、郊外環境、及び／又は農村環境に亘る広い地域で、地理的に異なっている。
【００１４】
構造物の高さは、郊外環境及び／又は農村環境よりも、都市環境においてより変化しやすい。都市環境における人工構造物は、一又は複数の低層構造物及び／又は一又は複数の高層構造物を含んでもよい。郊外環境及び／又は農村環境の構造物は、一又は複数の低層構造物を含んでもよい。例えば、都市環境は、多数の高層オフィスビル、多数の高層共同住宅、及び／又は一又は複数の低層のレストランを含んでもよい。農村環境は、単一の平屋の農家を含んでもよい。
【００１５】
モジュール式の人工構造物は、例えば、家屋、オフィスビル、共同住宅、街路、高速道路、橋梁、空港、発電所、及び／又はその他の構造物を含む。ユーザは、既存の環境を選択するか、ユーザの要求に合わせて環境を構成することにより、構造物を評価することができる。ユーザは自らが選択した環境内で、既存の構造物を再構成し、及び／又は新たな構造物を構築する。モジュール式の構造物は、再配置、既存の構造物の改造、現在及び／又は未来の建築物との接続、未来の試験、構造物の監視及び制御能力の再構成、及び／又はその他の再構成のために構成される。モジュール性は、試験施設の未開発地域に公共設備を事前敷設することも含んでよい。
【００１６】
ユーザは、ユーザー・インターフェースを介してシミュレーション情報及び／又はその他の情報を入力できる。試験施設は、入力された情報に基づいて、一又は複数のユーザによって構成された環境内における構造物の実際規模の使用をシミュレーションする。ユーザからの入力に含まれるものは、例えば、計算アルゴリズム、架空の気象条件、時刻、地理的位置、構造物と相互作用する人及び／又はエンティティ、構造物と相互作用するエンティティのサイズ及び／又は人の数、構造物と相互作用する人の経歴情報、及び／又はその他の入力情報である。
【００１７】
試験設備の全体に亘って一又は複数のセンサが配置されている。センサは、人工構造物の内部及び／又はその周辺の周囲条件に関する情報を伝達する一又は複数の出力信号と、制御パラメータと、構造物性能、及び／又はその他のパラメータを生成するように構成される。センサによって生成される出力信号は、アルゴリズムの導出、仮説を試験するためのデータの取得、制御ループ・フィードバック機構（例えば、ＰＩＤコントローラ）における応答情報の返信、閾値レベルに対する特殊変数の監視、及び／又はその他の目的のうちの一又は複数のために使用される。
【００１８】
プロセッサは、一又は複数のコンピュータプログラムモジュールを実行するように構成されてもよい。一又は複数のコンピュータプログラムモジュールは、入力情報を取得し、及び／又はこの入力情報に応答して一又は複数の制御パラメータを調節してもよい。この入力情報は、ユーザがユーザー・インターフェースを介して入力した一又は複数の入力、センサからの出力情報、及び／又はその他の情報源に応答して、取得されてもよい。調節された制御パラメータは、ユーザがユーザー・インターフェースを介して選択、アップロード、及び／又はプログラムしたシミュレーション・アルゴリズムに基づいて計算されてもよい。プロセッサ・モジュールは、入力パラメータ・モジュール、計算モジュール、パラメータ調節モジュール、及び／又はその他のモジュールを含んでもよい。
【００１９】
入力パラメータ・モジュールによって取得される一又は複数の入力パラメータは、例えば、周囲条件、架空の気象条件、時刻、地理的位置、構造物と相互作用する人及び／又はエンティティ、構造物と相互作用するエンティティのサイズ及び／又は人の数、構造物と相互作用する人の経歴情報、及び／又はその他の入力情報を含んでもよい。
【００２０】
計算モジュールは、入力パラメータ・モジュールによって取得される情報に応答して、（ｉ）全施設制御パラメータ、及び（ｉｉ）構造物固有の構成要素制御パラメータを計算するように構成されてもよい。計算されたパラメータ情報は、計算モジュールからの出力を含んでもよい。
【００２１】
構造物固有の構成要素制御パラメータは、各構造物ごとに推計されてもよい。例えば、計算モジュールは、ユーザがユーザー・インターフェースを介して入力した特定の組の人口統計によって都市人口を記述する入力情報を、入力パラメータ・モジュールから受信してもよい。この入力情報に応答して、計算モジュールは、人口全体の１日当たりの水の使用量（全施設制御パラメータ）を計算してもよい。計算モジュールは、都市環境内の各構造物によって使用される水の部分的な量を推計することができる（構造物固有の構成要素制御パラメータ）。
【００２２】
パラメータ調節モジュールは、計算モジュールからの出力に基づいて、全施設制御パラメータ及び／又は構造物固有の構成要素制御パラメータを調節するように構成されてもよい。パラメータ調節モジュールは、全施設又は各構造物の構成要素の稼動を調節するように構成された命令信号を出力してもよい。上記の例の説明を続けると、部分的な水使用推計の結果に基づいて、パラメータ調節モジュールは命令信号を出力して、施設全体に亘る及び／又は各構造物内の、流し、シャワー、トイレ、及び／又はその他の水を使用する構成要素の稼動を調整してもよい。
【００２３】
シミュレーション中及び／又はシミュレーション後に、ユーザは監視設備を介して、シミュレーションを中断する又はそれに影響を与えることなく、データを収集することができる。監視設備はユーザによって構成されたシミュレーションされた環境の監視、及び／又は人工構造物のシミュレーションされた使用を可能にするように構成されてもよい。監視設備は、シミュレーションされた環境から離れた位置にある一又は複数の地上監視キャンパス、及び／又はシミュレーションされた環境の地下に位置する地下監視設備を含んでもよい。
【００２４】
構築された構造物は、試験後、他のユーザが当該環境又は構造物を再構成するときまで、シミュレーションされた環境内の構築された場所に残される。追加の構造物が構築及び／又は改築されるとき、新しい構造物と古い構造物は隣り合って稼動し、例えば、新しい技術及び／又は異なる技術を同じ構造物に対して試験する機会が生じる。
【００２５】
本明細書で説明するシステム又は方法の上記及び上記以外の目的、特徴、及び性質、並びに、関連する構成要素の動作方法及び機能、そして製造における各部分の組み合わせと経済性については、添付図面を参照しつつ以下の詳細な説明と添付の特許請求の範囲を検討することによってさらに明らかになる。これらはいずれも本明細書の一部を構成する。本明細書において、同様の参照符号は種々の図における対応部分を表している。添付図面は例示及び説明のためのものであり、本発明の発明特定事項の定義として用いることは意図されていない。本明細書及び特許請求の範囲における用法によれば、単数形の「ａ」、「ａｎ」及び「ｔｈｅ」には複数のものへの言及が含まれる。ただし、文脈によって別に解すべきことが明白な場合はこの限りでない。
【図面の簡単な説明】
【００２６】
【図１】実際規模の無人試験施設の構成要素の模式図である。
【００２７】
【図２】前記試験施設のユーザが構成可能な都市環境、郊外環境、及び農村環境を説明する図である。
【００２８】
【図３】構造物の高さの変化、構造物間の距離の変化、及び各構造物内の階数の変化を説明する図である。
【００２９】
【図４】構造物の占有面積を説明する図である。
【００３０】
【図５】都市環境、郊外環境、及び農村環境内の輸送ネットワークを説明する図である。
【００３１】
【図６】試験施設内の構造物、センサ、プロセッサ、ユーザー・インターフェース、及びユーザの模式図である。
【００３２】
【図７】ユーザー・インターフェースの人口統計情報フィールドを示す図である。
【００３３】
【図８】ユーザー・インターフェースの構造物フィールドを示す図である。
【００３４】
【図９】ユーザー・インターフェースのアルゴリズム・フィールドを示す図である。
【００３５】
【図１０】監視設備を説明する図である。
【００３６】
【図１１】シミュレーションされた環境内の構造物の使用をシミュレーションする方法を示す図である。
【００３７】
【図１２】決定されたパラメータに基づいて試験施設を調節する方法を示す図である。
【００３８】
【図１３】シミュレーションされた環境及び／又は構造物のシミュレーションされた使用を地下監視設備を介して監視する方法を示す図である。
【００３９】
【図１４】再構成可能なモジュール式構造物を構築する方法を示す図である。
【発明を実施するための形態】
【００４０】
図１は典型的な共同体をシミュレーションするように構成された実際規模の無人試験施設１０を模式的に示す（例えば、サイズが約２０平方マイル、人口が約３万５千人）。試験施設１０を構成しているのは、都市の占有地域（例えば、高層構造物、ビルの谷間）、郊外地区（例えば、混在した構造物種別、及び地区デザイン）、農村地域（例えば、農村住宅、農場、牧場）、空き地（例えば、拡張用地域及び／又はデザインがユニークな隔離試験地域）、道路ネットワーク（例えば、州連絡高速道路、都市街路、農村道路）、ユビキタス無線及び有線通信インフラ、及び／又はその他の物理インフラである。
【００４１】
試験施設１０は、実世界の日々の技術的及び経済的活動を可能な限り厳密にシミュレーションするように構成されてもよい。試験施設１０は、一又は複数のユーザが新規の及び／又は既存の技術を実際規模で開発、試験、及び／又は実施できるように構成され、当該一又は複数のユーザが当該技術の技術的な影響の（予想される、及び／又は予想されない）すべての局面をよりよく理解できるようにする。
【００４２】
実際規模の無人試験施設１０は、モジュール式の人工構造物１２を構築すること、モジュール式の人工構造物１２を評価すること、モジュール式の人工構造物１２の使用を評価すること、及び／又はその他の目的のために構成される。この施設は、ユーザが構成可能なシミュレーションされた環境１４、構造物１２、ユーザ・インターフェース１６、センサ１８、プロセッサ２０、監視設備２２、及び／又はその他の構成要素のうちの一又は複数を含んでもよい。試験施設１０は、環境１４内での住人による使用をシミュレーションするように構成された、ユーザが構成可能な一又は複数の構造物１２を含んでもよい。
【００４３】
構造物１２は、例えば、家屋、オフィスビル、倉庫、共同住宅、街路、高速道路、橋梁、空港、発電所、刑務所、看板（例えば、電気広告及び／又は広告板）、フェンス、壁、装置（例えば、監視カメラ）、装置のシステム（例えば、電気通信ネットワーク）、及び／又はその他の構造物を含む。構造物１２はソフトウェア・プログラムで制御されてもよい。ソフトウェア・プログラムが試験施設１０内で試験されてもよい。構造物１２は、連棟の近接した都心構造物、高層構造物、連棟の家屋、近接した工業用及び／又は貯蔵用構造物、共同住宅、戸建て住宅、間隔の広く空いた工業用及び／又は貯蔵用構造物、及び／又はその他の構造物を含む。構造物１２は、階段、エレベータ、地階、排気ダクト、暖炉、煙突など、特定の種別の構造物に通常備わるレイアウト及び／又は特徴によって構築されてもよい。家具、工芸品、装飾品、緑地、及び／又はその他の典型的な構造物の静的な特徴を、構造物の１２の内部／表面／周辺に適切に配置してもよい。
【００４４】
構造物１２は、一般的及び／又は実験的な建設行為により、一又は複数の建設材料（例えば、木材、レンガ、石、金属、コンクリート、強化コンクリート、漆喰、タイル、屋根板、ガラスなど）から構築されてもよい。構造物１２は、典型的な実世界の構造物を厳密にまねて構築されてもよい。例えば、試験施設１０内に構築された家屋の壁は、木材の枠を有し、配管、電力線、及び／又は壁の絶縁を施され、漆喰及び／又は塗料を塗布した乾式壁によって仕上げられる。
【００４５】
一部の実施形態において、ユーザ２４は、既存の環境１４を選択するか、ユーザの要求に合わせて環境１４を構成することにより、構造物１２を評価することができる。ユーザ２４は選択された環境１４の全体に亘る一又は複数の位置で、既存の構造物１２を再構成し、及び／又は新たな構造物１２を構築する。試験施設１０は、ユーザー・インターフェース１６を介した入力によってユーザ２４が構成した環境１４内で、構造物１２の実際規模の使用をシミュレーションしてもよい。ユーザ２４からの入力に含まれるものは、例えば、架空の気象条件、時刻、地理的位置、構造物と相互作用する人及び／又はエンティティ、構造物と相互作用するエンティティのサイズ及び／又は人の数、構造物と相互作用する人の経歴情報、及び／又はその他の入力情報である。
【００４６】
構造物１２（試験施設１０の応用地域）のシミュレーションされた使用に含まれるのは、例えば、電気通信インフラの試験（例えば、ビルの谷間において）、都市を貫通する生物災害輸送のシミュレーション、高度道路交通システム技術の試験、資源開発のシミュレーション（例えば、淡水化）、安全管理技術の試験（例えば、刑務所における安全管理、サイバー安全管理、農村地域での無人の国境パトロール、爆破予告に応じたロボットによる調査の試験）、自然エネルギー技術の試験（例えば、太陽電池の実用化、地熱発電など）、スマート・グリッド技術の試験、輸送管理技術の試験（例えば、無人運転自動車）、武器試験、及び／又はその他のシミュレーションである。ユーザ２４はシミュレーション中／シミュレーション後に、このシミュレーションを中断する又はそれに影響を与えることなく、データを収集することができる。
【００４７】
構造物１２及び／又は環境１４は従来のインフラとして機能し、その中では、構築された構造物１２が、試験後に他のユーザが当該環境１４又は構造物１２を再構成するときまで環境１４内の構築された場所に残される。追加の構造物が構築及び／又は改築されるとき、新しい構造物と古い構造物は隣り合って稼動し、例えば、新しい技術及び／又は異なる技術を同じ構造物１２に対して試験する機会が生じる。
【００４８】
モジュール式の構造物１２は、再配置、既存の構造物の改造、現在及び／又は未来の建築物との接続、未来の試験、構造物の監視及び制御能力の再構成、及び／又はその他の再構成のために構成された再構成可能な構造物を含んでもよい。例えば、構造物のモジュール性は当該構造物の外側に穴を含んでおり、この穴は、電気通信及び／又はセンサ装置を当該構造物に接続／切断すること、電力線を当該構造物に接続／切断すること、水道を当該構造物に接続／切断すること、及びその他の目的のうちの一又は複数のために構成されてもよい。一部の実施形態において、構造物のモジュール性は、当該構造物に対する追加の構築、及び／又は１つの構造物と他の構造物との機械的接続のために構成された機械的接続点を含んでもよい。モジュール性は、試験施設の未開発地域内での公共設備の事前敷設を含んでもよく、事前敷設される公共設備は、水道、電力、電気、及び／又はその他の公共設備のうちの一又は複数を含む。モジュール性は、空の配管、事前に掘削された溝、及び／又はその他の機構を含む。
【００４９】
無人試験施設１０は、いかなるシミュレーションされた環境においても人が永久に住まない設備、及び／又は試験のために用いられる人工構造物を含んでもよい。しかし、「無人」の用語によって提供される試験施設の機能性の記述は、限定を意図したものではなく、この試験施設の稼動及び／又はその他の目的のために居住が必要となる場合もある。例えば、施設の警備チーム及び／又は施設の消防署にとっては、食事及び／又は睡眠のために試験施設内に住居を設置することが必要になる。それは、警備チーム及び／又は消防署は安全上の理由で１日２４時間、周７日のシフト稼動をする必要があるからである。警備チームは、例えば、安全フェンス、有線テレビ、行動探知機、音声センサ、及び／又は試験施設１０の周辺／全体に導入されるその他の態様の警備システムを監視する必要がある。
【００５０】
図２は異なる環境条件をシミュレーションするように構成された、ユーザが構成可能な環境１４を示す。人工構造物１２はユーザが構成可能な環境１４において構築される。ユーザが構成可能な環境は、シミュレーションされた環境条件における人工構造物の使用をシミュレーションする。ユーザが構成可能な環境１４は、都市のインフラ及び／又は人工構造物をシミュレーションするように構成された都市環境３０、都市周辺のインフラ及び／又は人工構造物をシミュレーションするように構成された郊外環境３２、非都市非郊外地域のインフラ及び／又は人工構造物をシミュレーションするように構成された農村環境３４、及び／又はその他の環境を含む。建物、道路、公共設備インフラ、及び／又はその他のインフラのシミュレーションされた密度は、都市環境３０から郊外環境３２、農村環境３４へと移動するにつれて低下する。空き地は都市環境３０から郊外環境３２、農村環境３４へと移動するにつれて増加する。
【００５１】
都市環境３０は、都心、商業地域、工業地域、及び／又はその他の地域を含む。都心は、典型的な繁華街の環境条件に見られる混在した建築類型を代表するように構築され、上述のように一又は複数の建築材料から構築されてもよい。一又は複数の構造物は歴史的なものでもよい。一又は複数の構造物は現代的なものでもよい。都心は、緑地、駐車場、歩道、街灯、路地、及び／又は典型的な都市の中心部を構成するその他の特徴物を含む。商業地域は都心に隣接する位置にあってもよい。商業地域は、例えば、銀行、ガソリンスタンド／コンビニエンスストア、ストリップモール、都市型住宅、及び／又はその他の構造物のうちの一又は複数を含む。工業地域は都心に隣接する位置にあってもよい。工業地域は、オフィススペースを伴う、及び／又はオフィススペースを伴わない、高さ及び／又は形態が様々な一又は複数の倉庫構造物、及び／又はその他の構造物で構成される。工業地域内の土地区画は、充実した歩行者用道路及び車両循環スペースで構成されてもよい。
【００５２】
郊外環境３２は、街灯、緑地、歩道、及び／又はその他の特徴物を有するカーブの多い街路（典型的な郊外地区をシミュレーションする）に面した、一又は複数の全面的に機能する家屋（公共設備、器具、その他が含まれ、かつ稼動している）を含んでもよい。郊外環境３２内の一又は複数の郊外家屋は、例えば切妻付きの屋根、２台分の車庫、杭垣、及び／又はその他の特徴物を有する平屋又は２階建ての典型的な郊外家屋をシミュレーションするように構成されてもよい。
【００５３】
農村環境３４は、農業に適した灌漑された農地を含んでもよい。農村環境３４は、農家、納屋のような構造物、及び／又は農村の環境条件で見られるその他の典型的な構造物を含む。農村環境３４は、一又は複数の空き地地帯３６を含んでもよい。空き地地帯は、人工構造物の間に空き地を含んでもよい。例えば、人工構造物の間の空き地は、農地、放牧用地、及び／又は人工構造物のない未開発の土地のうちの一又は複数を含んでもよい。空き地地帯３６は、地殻変動による地形（例えば、丘、平地、山）、水域、林地、及び／又はその他の特徴物を含む。空き地地帯３６は、異なるタイプの土壌を有する地域を含んでもよい。例えば、空き地地帯３６は砂丘を含んでもよい。空き地地帯３６は農業に適した土を含んでもよい。
【００５４】
都市環境３０、郊外環境３２、及び／又は農村環境３４の相対的な地理的位置は、環境間の変化をシミュレーションするように構成されてもよい。例えば、都市環境３０と農村環境３４との間に郊外環境３２を配置することによって、都市から郊外への変化３８及び郊外から農村への変化４０をシミュレーションすることができる。一部の実施形態において、郊外環境３２及び／又は農村環境３４は中央の都市環境３０から放射状に広がるように配置して、典型的な都市の成長を模倣してもよい。一部の地域において、環境間の変化は急激であり、他の地域では変化はより緩やかであってもよい。都市から郊外への変化は、都市の街路が郊外の大通りへと変わり、建物の高さが低くなり、一戸建てがほとんどなく人口の密集した共同住宅を主とする地域が、共同住宅が少なく一戸建てを主とする地域に変化すること、及び／又はその他の変化を含む。郊外から農村への変化は、郊外の大通りが２車線の地方道路（舗装又は未舗装）へと変わり、郊外地区が空き地地帯に取って代わられる変化、及び／又はその他の変化を含む。
【００５５】
図３および図４は都市環境３０における人工構造物１２の密度を示している。都市環境３０内における構造物の密度は、構造物の総内部平方フィート（メートル）を所与の土地面積で除算した値となる。所与の土地面積内の内部平方フィートは、構造物の高さ６０及び／又は構造物ごとの階数６２、構造物間の距離６４（図３）、及び構造物の占有面積（幅×奥行き）６６（図４）によって変化する。構造物の寸法（例えば、高さ、幅、及び／又は奥行き）は、構造物ごとに異なる。都市環境３０における構造物の密度は、狭い路地を造ってビルの谷間をシミュレーションするように構成されてもよい。郊外環境３２内の構造物の密度（図示せず）は、都市環境３０の構造物の密度よりも低い。農村環境３４内の構造物の密度（図示せず）は、郊外環境３２の構造物の密度よりも低い。構造物の密度は、単一の環境内において、及び／又は試験施設の都市環境、郊外環境、及び／又は農村環境に亘る広い地域で、地理的に異なっている。
【００５６】
構造物の高さは、郊外環境３２及び／又は農村環境３４と比較すると、都市環境３０においてより多様になる。都市環境３０内の人工構造物は、一又は複数の低層構造物を含んでもよい。ここで低層構造物とは４階以下の構造物のことである。都市環境３０内の人工構造物は、一又は複数の高層構造物を含んでもよい。ここで高層構造物とは４階よりも高い構造物のことである。郊外環境３２及び／又は農村環境３４の構造物は、一又は複数の低層構造物を含んでもよい。例えば、都市環境３０は、多数の高層オフィスビル、多数の高層共同住宅、及び／又は一又は複数の低層のレストランを含んでもよい。農村環境３４は、単一の平屋の農家を含んでもよい。
【００５７】
図２に戻ると、都市環境３０、郊外環境３２、及び／又は農村環境３４におけるインフラ及び／又は人工構造物は、廃棄物管理施設（例えば、ごみ埋立地４２）、公共設備インフラ（例えば、発電所４４）、有線及び／又は無線通信インフラ（例えば、携帯電話中継塔４６）、文化施設（例えば、競技場４８）、公園５０、交通インフラ（例えば、道路５２）、その他のインフラ、及び／又はその他の人工構造物を含む。
【００５８】
廃棄物管理施設は、ごみ箱、ごみ回収場、ごみ埋立地、及び／又はその他の廃棄物管理施設を含む。廃棄物管理施設は、ユーザによる構成の要求に応じて、都市環境３０、郊外環境３２、及び／又は農村環境３４に配置されてもよい。廃棄物管理施設の密度は都市環境３０から郊外環境３２、農村環境３４へと移動するにつれて低下する。本発明においては、ごみ回収場は都市環境３０及び／又は郊外環境３２に位置するのがより一般的であると考えられる。また、ごみ埋立地は郊外環境３２及び／又は農村環境３４に位置するのがより一般的であると考えられる。
【００５９】
公共設備インフラは、水道管、水処理施設、送水ポンプ施設、下水管、下水処理施設、発電施設、送電設備、及び／又はその他の公共設備インフラを含む。公共設備インフラは、ユーザによる構成の要求に応じて、都市環境３０、郊外環境３２、及び／又は農村環境３４に配置されてもよい。公共設備インフラの密度は都市環境３０から郊外環境３２、農村環境３４へと移動するにつれて低下する。公共設備インフラは、典型的な都市／郊外／農村の地域での態様で、都市環境３０、郊外環境３２、及び／又は農村環境３４に統合されてもよい。例えば、農村地域の電力線は塔の間に張り渡されてもよい。都市地域では、電力線は地下に埋められてもよい。本発明においては、水道管、水処理施設、送水ポンプ施設、下水管、下水処理施設、及び／又は送電設備は、都市環境３０及び／又は郊外環境３２に位置することがより一般的であると考えられる。また、発電施設は郊外環境３２及び／又は農村環境３４に位置するのがより一般的であると考えられる。農村地域３４は、例えば井戸、腐敗槽、及び／又はその他の公共設備インフラなどの追加の公共設備インフラを含んでもよい。
【００６０】
公共設備インフラは、ワイヤ、パイプ、及び／又は電力、水、ガス、及び／又はその他の公共サービスを試験施設１０の全体に輸送するその他の方法を含んでもよい。ワイヤ、パイプ、及び／又はその他の輸送方法は、試験施設１０の構造物１２の地下、内部（例えば、壁の中）、中間（例えば、建物間に張られたワイヤ）、上空（例えば、塔の間の電力線）、及び／又はその他の位置を通ってよい。
【００６１】
有線及び／又は無線の電気通信インフラは、テレビ、電話、ラジオ、インターネット、及び／又はその他の電気通信インフラに用いる送信設備及び／又は受信設備を含んでよい。例えば、電気通信インフラは、放送用ラジオ／テレビ送信機及び／又は塔、商業用ラジオ送信設備、無線マイクロ波携帯電話インフラ、電話、テレビ、及び／又はその他のサービス用の高架及び／又は地下配線、及び／又はその他のインフラを含む。電気通信インフラは、ユーザによる構成の要求に応じて、都市環境３０、郊外環境３２、及び／又は農村環境３４に配置されてもよい。電気通信インフラの密度は都市環境３０から郊外環境３２、農村環境３４へと移動するにつれて低下する。本発明において、電気通信インフラは、典型的な都市／郊外／農村の地域での態様で、都市環境３０、郊外環境３２、及び／又は農村環境３４に統合されてもよいと考えられる。例えば、都市地域では携帯電話中継塔が建物の屋根に設置されている。郊外及び／又は農村地域では、携帯電話中継塔は独立構造で構築される。試験施設１０は、帯域幅、周波数、電気通信プロトコル（例えば、ＧＳＭ、ＣＤＭＡ）、及び／又は電気通信インフラの他の局面を調整し、従来の国内の及び全地球的な網目状のネットワークをシミュレーションするように構成されてもよい。
【００６２】
環境１４の構造物、システム、インフラ、及び／又はその他の構成要素は、組み合わさって、試験施設内で屋内及び／又は屋外の総合（同時的、全方向的、没入型）電磁環境を形成することが理解されるであろう。総合電磁環境は、（屋内及び／又は屋外の）電子通信技術、航法センシング、軍事標的設定、を試験するため、及び／又はその他の目的で使用する。例えば、電力線、変圧器、通信塔、及び／又は送信機、コンピュータ、冷蔵庫、空調機（電気モータ）、電子レンジ、電力線、配管、信号、柵、自動車、及び／又は他の環境１４の構成要素は、電磁スペクトル及び電子通信に影響を与える雑音／騒音源を含む。絶縁、金属製の建物、厚いれんが及びモルタルの構造物、金属製のスクリーン、コンクリート中の強化鉄、パイプ、窓、信号、ドア、及び／又はその他の環境１４の構成要素は、電気通信中に経路損失、マルチパシング、散乱、及び／又はその他の効果を生じさせる減衰器及び／又は反射体を含んでもよい。自動車、窓、建築材料、柵、壁等は、試験施設内の電子通信を吸収及び／又は反射してもよい。
【００６３】
都市環境３０及び／又は郊外環境３２は文化施設を含んでもよい。文化施設は、美術館、競技場、動物園、コンサート会場、及び／又はその他の文化施設のうちの一又は複数を含んでもよい。本発明において、農村環境３４は文化施設を含まないと考えられる。
【００６４】
都市環境３０及び／又は郊外環境３２内のインフラは、一又は複数の都市公園を含んでもよい。都市公園は、公開草地、樹木、プール、グラウンド、体育館、及び／又は他の公園の特徴物のうちの一又は複数を含んでもよい。本発明において、農村環境３４は公園を含まないと考えられる。
【００６５】
図５は都市環境３０、郊外環境３２、及び農村環境３４の輸送インフラを示している。輸送インフラは、空港７０、鉄道ネットワーク７２、地下鉄／軽量軌道システム７４、自動車輸送ネットワーク、及び／又はその他の輸送インフラを含む。
【００６６】
空港７０は一又は複数のターミナル、滑走路、ターミナルゲート、チェックインエリア、乗降用通路、手荷物取扱いシステム、及び／又はその他の特徴物を含む。空港７０は、地下鉄／軽量軌道接続駅７６を含む。本発明においては、空港は都市環境３０及び／又は郊外環境３２に位置すると考えられる。
【００６７】
鉄道ネットワーク７２は、一又は複数の列車軌道、一又は複数の駅、一又は複数の操車場、及び／又はその他の特徴物を含む。鉄道ネットワーク７２は、客車及び／又は貨物列車を運ぶように構成されもてよい。操車場７８は都市環境３０及び／又は郊外環境３２に位置する。駅は、都市環境３０においては地下鉄／軽量軌道７４を鉄道７２に接続するより大きな旅客中継地８０を含み、郊外環境３２においては通勤客中心のプラットフォームを含み、及び／又は農村環境３４においては、地方駅を含む。本発明において、軌道密度及び／又は駅の大きさ及び／又は数は、都市環境３０から郊外環境３２、農村環境３４へと移動するにつれて低下する。
【００６８】
地下鉄／軽量軌道システム７４は地上及び／又は地下の線路、及び地上及び／又は地下の旅客乗降用の駅を含む。駅は地上から入ることができ、乗客を都市環境３０及び／又は郊外環境３２の異なる位置に輸送することができる。地下鉄／軽量軌道システムの路線密度は、都市環境３０内で最も高いが、郊外環境３２にまで延伸してもよい（例えば、空港まで）。
【００６９】
自動車輸送ネットワークは、道路ネットワーク８６及び／又は高速道路ネットワーク８８を含んでもよい。自動車輸送ネットワークは、アスファルトの道路／高速道路、コンクリートの道路／高速道路、未舗装道路、砂利道、砂道、ガードレール、縁石、橋梁、自動車、トラック、及び／又はその他の構成要素を含んでもよい。自動車輸送ネットワークは、乗物対乗物（Ｖ２Ｖ）及び／又は乗物対インフラ（Ｖ２Ｉ）用の試験台を含む。
【００７０】
道路ネットワーク８６は、例えば、道路、交差点、自動交通案内、一時停止標識、駐車場、交通監視カメラ、及び／又はその他の道路ネットワークの構成要素を含んでもよい。高速道路ネットワーク８８は、地上の複数車線道路、地下の複数車線道路、ランプを用いた高速道路、ランプ流入調整灯を用いた高速道路、高速道路出口ランプ、料金所、高速道路乗換ランプ、高路交差、低路交差、及び／又はその他の高速道路ネットワークの構成要素のうちの一又は複数を含む。
【００７１】
郊外環境３２における自動車輸送ネットワークは、都市環境３０における自動車輸送ネットワークよりも、密度が低い。農村環境３４における自動車輸送ネットワークは、郊外環境３２における自動車輸送ネットワークよりも、密度が低い。自動車輸送ネットワーク密度は、所与の土地面積ごとの道路の数、道路ごとの車線の数、所与の土地面積ごとの高速道路の数、高速道路ごとの車線の数、所与の土地面積ごとの道路交差点の数、所与の土地面積ごとの高速道路交差点の数、土地面積ごとの駐車場の数、所与の土地面積ごとの自動交通案内の量、及び／又は他の密度の基準のうちの一又は複数を用いる。
【００７２】
図２に戻ると、都市環境３０、郊外環境３２、及び／又は農村環境３４内のその他のインフラ及び／又は人工構造物は、試験軌道（道路コース及び／又は一般道路外）、鉱業／採石施設、軍事演習のための構造物及び／又はインフラ、農業開発のためのインフラ、各種発電施設（例えば、原子力、石炭火力、風力、太陽光）、原子炉技術、及び／又はインフラ（例えば、原子炉安全システム、原子炉安全管理、及び／又はその他の技術）、資源開発インフラ（例えば、淡水化）、国境安全保障を試験するためのインフラ（例えば、主権国国境安全管理（ｓｅｖｅｒｅｉｇｎ  ｂｏｒｄｅｒ  ｓｅｃｕｒｉｔｙ））、及び／又はその他のインフラを含む。ユーザは適切な環境（例えば、都市環境３０、郊外環境３２、農村環境３４）に対して、追加のインフラ及び／又は人工構造物（例えば、上述の構造物）を実現することを決定してもよい。
【００７３】
発電及び／又は資源開発施設（例えば、淡水化プラント）は、試験施設１０に対して電力及び／又は他の資源（例えば、水）を供給するように構成されてもよい。主要な発電所及び／又は電力、水、及び／又はその他の資源を試験施設１０に供給するように構成されたその他の資源開発施設は、時間の経過とともに、新たに構築された、再構成された、及び／又はその他の実験的な発電施設（例えば、地熱、太陽光、風力、原子力）によって変化する。試験施設１０は、電力、水、及び／又は試験施設１０のその他の公共設備敷設網による、実用レベルの（ｕｔｉｌｉｔｙ  ｇｒａｄｅ）サービス供給のための生産、分配、及び／又は供給システムを用いて構成されてもよい。余分なエネルギー、水、及び／又はその他の生産された資源は、試験施設１０の外部の公共設備システムに卸売りすることが可能になる。試験施設１０は、試験施設１０の外部の公共設備システムから資源（例えば、電力、水）を受け取るように構成される。
【００７４】
試験施設１０の一部として含まれる淡水化プラントは、逆浸透、熱蒸発、イオン交換、正浸透、及び／又はその他の工程のうちの一又は複数を含む一又は複数の淡水化処理を行うように構成されてもよい。
【００７５】
図６に示すように、ユーザー・インターフェース１６はプロセッサ２０とユーザ２４との間にインターフェースを提供し、これを通してユーザ２４はプロセッサ２０との間で情報のやり取りを行う。これにより、データ、処理結果、及び／又は命令、及び他のあらゆる伝達可能な項目、すなわち総称して「情報」が、プロセッサ２０、構造物１２、及び／又はセンサ１８のうちの一又は複数と、ユーザ２４との間で伝達される。ユーザインタフェース１６に含めるのに好適なインタフェース装置の例には、キーパッド、ボタン、スイッチ、キーボード、つまみ、レバー、ディスプレイスクリーン、タッチスクリーン、スピーカー、マイク、プリンタ、及び／又はこれら以外のインタフェース装置が含まれる。一実施形態において、ユーザインタフェース１６は、複数の個別のインタフェースを含んでもよい。一実施形態において、ユーザインタフェース１６は、構造物１２と一体に設けられたインタフェースを少なくとも１つ備える。
【００７６】
上記以外のコミュニケーション技術も、有線か無線かを問わず、本開示におけるユーザインタフェース１６として考慮されている。例えば、本発明ではユーザー・インターフェース１６は音声作動式でもよい。この例では、一又は複数の人口統計入力パラメータを示す情報を音声でプロセッサ２０に入力してもよい。他の例示的な入力装置及びユーザインタフェース１６としてプロセッサ２０とともに用いられる技術には、ＲＳ−２３２ポート、ＲＦリンク、ＩＲリンク、モデム（電話、ケーブル、又はこれら以外のもの）が含まれるがこれらには限られない。要するに、本開示においては、情報をプロセッサ２０に伝達するための任意の技術がユーザインタフェース１６として用いられ得る。
【００７７】
図７から図９はユーザー・インターフェース１６を異なる観点で示す。ユーザー・インターフェース１６は、人口統計情報フィールド１００、構造物フィールド１０２、アルゴリズムフィールド１０４、及び／又はその他のフィールドを含んでよい。人口統計情報フィールド１００が図７に示されている。構造物フィールド１０２が図８に示されている。アルゴリズム情報フィールド１０４が図９に示されている。ユーザー・インターフェース１６のフィールドは、ユーザが試験、評価、シミュレーション、及び／又はその他の活動をユーザの要求に応じて設定、実行、及び／又は監視できるように構成されてもよい。
【００７８】
図７において、人口統計情報フィールド１００は、ユーザがシミュレーションを望む人口統計のユーザによる入力及び／又は選択を受け取るように構成されてもよい。人口統計フィールド１００は、一又は複数の選択可能な構造物１０６、一又は複数の人口統計情報入力フィールド１０８、一又は複数の構造物パラメータ指標１１０、及び／又はその他のフィールドを含んでよい。人口統計フィールド１００を用いて、ユーザは、例えばシミュレーションに関与する３つの異なる構造物を選択してもよい。ユーザは、各構造物のユーザに関する人口統計情報を入力し、結果として出力されるパラメータを見る。逆に、ユーザは各構造物についてパラメータ情報を入力し、結果として出力される人口統計情報を見る。
【００７９】
図８において、構造物フィールド１０２は、ユーザが評価及び／又はシミュレーションを望む構造物に関するパラメータ制御情報のユーザによる入力及び／又は選択を受け取り、及び／又はユーザー・インターフェース１６上で当該パラメータ情報を表示するように構成されてもよい。例えば、ユーザは、ある特定のオフィスビルにおいては内部構造温度設定点を華氏７２度に指定し、及び／又は住宅においては内部構造温度設定点を華氏７８度に指定してもよい。構造物フィールド１０２は、構造物指標１２０、一又は複数の構造物パラメータ指標１２２、及び／又はその他のフィールドを含んでもよい。
【００８０】
図９において、アルゴリズム情報フィールド１０４は、シミュレーション中に用いるアルゴリズムの入力及び／又は選択を受け取るように構成されてもよい。アルゴリズム情報フィールド１０４は、一又は複数の選択可能なアルゴリズム１３０、一又は複数のアップロードされたアルゴリズム、一又は複数のプログラムされたアルゴリズム、及び／又はその他のアルゴリズムを含んでよい。ユーザによって選択されたアルゴリズムは、プロセッサ２０（図示せず）によってシミュレーション演算に用いられてもよい。
【００８１】
再び図６を参照すると、一又は複数のセンサ１８は、人工構造物の内部及び／又はその周辺の周囲条件に関する情報を伝達する一又は複数の出力信号と、全施設制御パラメータと、構造物構成要素制御パラメータ、構造物性能、及び／又はその他のパラメータを生成するように構成される。例えば、スマートグリッドセンサは、要求応答、最大負荷削減（ｐｅａｋ  ｌｏａｄ  ｓｈａｖｉｎｇ）、シンクロフェーザ（ｓｙｎｃｈｒｏｐｈａｓｏｒｓ）、スマート家電製品用のホーム・エリア・ネットワークの安全管理、スマートグリッドへのインターフェースポイント、ＲＦ干渉、システム完全性、データプライバシー、及び／又はその他の出力信号を生成してもよい。センサ１８によって生成される出力信号は、アルゴリズムの導出、仮説を試験するためのデータの取得、制御ループ・フィードバック機構（例えば、ＰＩＤコントローラ）における応答情報の返信、閾値レベルに対する特殊変数の監視、及び／又はその他の目的で使用される。例えば、試験施設周辺の周囲条件センサからの出力信号は、各センサの位置における大気湿度を示す情報を伝達してもよい。ユーザは、位置に基づく大気湿度情報を組み込むように、構造物構成要素制御パラメータ演算アルゴリズムをプログラムしてもよい（例えば、より高い湿度を有する地域にあるオフィスビル構造物は、オフィスワーカーが快適に過ごせるようにエアコンを動かして湿度を取り除くために、より多くの電力を必要とすることもある）。
【００８２】
周囲条件出力信号は、センサ周辺の大気条件に関する情報を伝達してもよい。周囲条件は、温度、湿度、圧力、大気質、気流、風速、光レベル、及び／又はその他の周囲条件のうちの一又は複数を含んでもよい。例えば、周囲条件情報を利用して、人工構造物が周囲環境に対して与える効果を調べることができる。ユーザは、所与の地域で１日のうちの特定の時間に閾値レベルの上又は下で残存する日光のレベルを要望することができる。日光のレベルは、センサ１８の近傍に新たな構造物を構築する前後で比較されてもよい。
【００８３】
全施設制御パラメータは、機械的負荷、電気的負荷、温度、湿度、電力使用量、水使用量、及び／又はその他の全施設制御パラメータのうちの一又は複数を含んでよい。全施設制御パラメータに関する情報を伝達する信号は、全人口の特性を表してもよい。例えば、高速道路システム上の渋滞におけるすべての車両の総重量は、当該高速道路システムについての全施設の機械的負荷情報を含んでもよい。この例においては、検知された道路情報は、増大した負荷に耐えうる高速高架道路を設計する際の入力として用いられる。
【００８４】
構造物構成要素制御パラメータは、構造物内の構成要素を制御する。構造物構成要素は、ヒーター（例えば、ガス式及び／又は電気式）、エアコン（例えば、ガス式及び／又は電気式）、家電製品、シンク、シャワー、電話、蛇口、トイレ、車庫、自動開閉装置、電子装置、照明（室内及び／又は室外）、ドア（室内及び／又は室外）、窓（例えば、ガラス、金属フレーム、安全バー）、扇風機、及び／又はその他の構造物構成要素のうちの一又は複数を含んでもよい。構造物構成要素制御パラメータに関する情報は、シミュレーション中にフィードバックループ内で用いられてもよい。例えば、シミュレーションにおいて、家庭用ストーブが所与の温度で動作して周囲に熱を放散することが求められてもよい。ストーブの動作温度に関する情報は、当該ストーブの設定点と比較され、必要に応じて温度が調整される。
【００８５】
構造物の性能に関する情報は、シミュレーションされた使用に対する当該構造物の反応を示す情報を含んでもよい。シミュレーションされた使用に対する反応は、エネルギーの使用量、エネルギーの使用効率、環境への熱損失、環境からの熱獲得、構造物の経時的な損耗及び破損、電気的負荷に対する反応、温度負荷に対する反応、機械的負荷に対する反応、及び／又はシミュレーションされた使用に対する構造物の反応に関するその他の情報のうちの一又は複数を含んでもよい。例えば、設定温度以下に建物を保つようにエアコンがプログラムされたオフィスビル構造物において、検知されたエアコンによるエネルギー使用量は、どの程度当該ビルが断熱され、及び／又はどの程度当該ビルが空調の効果を最大化するように設計されているかを示す目安となる。
【００８６】
センサ１８は、一又は複数のパラメータに間接的に関わる出力信号を生成する一又は複数のセンサを含んでもよい。例えば、センサ１８の一又は複数は、構造物１２の動作パラメータ（例えば、空調装置のモータ電流、電圧、回転速度、及び／又はその他の動作パラメータ）、及び／又はその他のセンサに基づいて、出力情報を生成してもよい。センサ１８は構造物１２又はそれに隣接した位置に示されているが、これは限定を意図したものではない。センサ１８は、複数の位置に配置されたセンサを含んでもよい。これら複数の位置は、例えば構造物１２の内部、構造物１２の（接触しない）近傍、構造物１２の下（例えば、構造物が道路の場合）、及び／又はその他の位置である。
【００８７】
引き続き図６を参照する。プロセッサ２０は試験施設１０内に情報処理能力を提供する。プロセッサ２０は、デジタルプロセッサ、アナログプロセッサ、情報処理用のデジタル回路、情報処理用のアナログ回路、ステートマシン、及び／又は電子的に情報を処理する前記以外のメカニズムのうちの一又は複数を備える。プロセッサ２０は図６において単一のエンティティとして示されているが、これは単に説明を目的としたものである。一部の実施形態において、プロセッサ２０は複数の処理装置を含む。これらの処理装置は物理的に同一の装置内（例えば、プロセッサ２０）に配置されてもよく、または共同して動作する複数の装置の処理機能をプロセッサ２０が代表してもよい。
【００８８】
図６に示されるように、プロセッサ２０は、一又は複数のコンピュータプログラムモジュールを実行するように構成される。一又は複数のコンピュータプログラムモジュールは、入力パラメータモジュール１４０、計算モジュール１４２、パラメータ調整モジュール１４４、及び／又はその他のモジュールを含んでもよい。プロセッサ２０は、モジュール１４０、１４２、及び／または１４４を実行する際に、ソフトウェア、ハードウェア、ファームウェア、何らかの方法で組み合わされたソフトウェア、ハードウェア、及び／またはファームウェア、及び／またはプロセッサ２０の処理能力を構成する他の機構を用いてもよい。
【００８９】
図６においてモジュール１４０、１４２、及び／又は１４４は単一の処理装置内の同じ位置に配置されるものとして示されるが、プロセッサ２０が複数の処理装置を含む実施形態においては、モジュール１４０、１４２、及び／または１４４のうちの一又は複数が他のモジュールから離れて配置されてもよい。以下の異なるモジュール１４０、１４２、及び／または１４４によって提供される機能の記述は説明のためのものであり、限定を意図したものではない。モジュール１４０、１４２、及び／または１４４はいずれも記述されるよりも多くの、または少ない機能を提供してもよい。例えば、モジュール１４０、１４２、及び／または１４４のうちの一または複数を取り除き、その機能の一部またはすべてを、モジュール１４０、１４２、及び／または１４４のうちの他のモジュールで提供してもよい。他の例として、以下でモジュール１４０、１４２、及び／または１４４のうちの１つに帰せられる機能の一部またはすべてを実行する１つまたは複数の追加的なモジュールを実行するように、プロセッサ２０が構成されてもよい。
【００９０】
入力パラメータモジュール１４０は、一又は複数の入力パラメータを取得するように構成されてもよい。この一又は複数の入力パラメータは、ユーザ２４がユーザー・インターフェースを介して入力した一又は複数の入力、センサ１８からの出力情報、及び／又はその他の情報源に応答して、取得されてもよい。この一又は複数の入力パラメータは、例えば、周囲条件、架空の気象条件、時刻、地理的位置、構造物と相互作用する人及び／又はエンティティ、構造物と相互作用するエンティティのサイズ及び／又は人の数、構造物と相互作用する人の経歴情報、及び／又はその他の入力情報である。
【００９１】
計算モジュール１４２は、入力パラメータモジュール１４０によって取得される情報に応答して、（ｉ）機械的負荷、電気的負荷、温度、湿度、電力使用量、水使用量、及び／又はその他のパラメータのうちの一又は複数を含む全施設制御パラメータ、（ｉｉ）構造物の構成要素が、ヒーター、エアコン、家電製品、シンク、シャワー、蛇口、トイレ、電子装置、照明、窓、扇風機、及び／又はその他の構造物構成要素のうちの一又は複数を含む、構造物固有の構成要素制御パラメータ、を計算するように構成されてもよい。計算されたパラメータ情報は、計算モジュール１４２からの出力を含んでもよい。
【００９２】
構造物固有の構成要素制御パラメータは、各構造物ごとに推計されてもよい。例えば、計算モジュール１４２は、ユーザ２４がユーザー・インターフェース１６を介して入力した特定の組の人口統計によって１０万人の都市人口を記述する入力情報を、入力パラメータ・モジュール１４０から受信してもよい。入力情報に応答して、計算モジュール１４２は、その規模の人口が１日に５００万ガロンの水を使用することを算出してもよい。計算モジュール１４２は、都市環境内の各構造物によって使用される水の部分的な量を推計することができる。
【００９３】
一部の実施形態において、計算モジュール１４２は、計算モジュール１４２にプログラムされた一又は複数のアルゴリズム、ユーザ２４によってユーザー・インターフェース１６を介してアップロードされた事前プログラムアルゴリズム、ユーザがユーザー・インターフェース１６を用いてプログラムしたアルゴリズム、及び／又はその他のアルゴリズムに基づいて計算を実行するように構成されてもよい。実例として、上記の例では、５００万ガロンの水という全施設制御パラメータが、事前プログラムアルゴリズムに基づいて計算されてもよい。各構造物個別の水の部分的な使用量の計算は、ユーザ２４がユーザー・インターフェース１６を介してプログラムしたアルゴリズムに基づいて行われてもよい。
【００９４】
パラメータ調整モジュール１４４は、計算モジュール１４２からの出力に基づいて、全施設制御パラメータ及び／又は構造物構成要素制御パラメータを調節するように構成されてもよい。パラメータ調節モジュール１４４は、全施設又は各構造物の構成要素の稼動を調節するように構成された命令信号を出力してもよい。上記の例を続けると、部分的な水使用推計の結果に基づいて、パラメータ調節モジュール１４４は命令信号を出力して、施設全体に亘る及び／又は各構造物内の、流し、シャワー、トイレ、及び／又はその他の水を使用する構成要素の稼動を調整してもよい。
【００９５】
図１０は監視設備１５０を示す。監視設備１５０は、ユーザが構成したシミュレーションされた環境１４、及び／又は人工構造物１２のシミュレーションされた使用の物理的、電子的、及び／又はその他の監視を、シミュレーションを中断する及び／又はそれに影響を与えることなく、可能にするように構成されてもよい。監視設備は、環境１４から離れた位置にある一又は複数の地上キャンパス１５２、及び／又は環境１４の地下に位置する地下設備１５４を含んでもよい。
【００９６】
監視は、入力情報のアップロード及び／又は監視、全施設制御パラメータの監視、算出された構造物固有構成要素制御パラメータの監視、構造物構成要素の動作／使用の監視、周囲条件の監視、及び／又はその他の監視のうちの一又は複数を含んでもよい。本発明は、試験施設１０のユーザが試験設備を地下に、監視設備を地上に配置することを想定している。例えば、一部の試験において、試験施設１０のユーザは、センサを配置及び回収する際を除いて、試験施設１０内の地上にいる必要がない。試験施設１０の地上のインフラは、一般的な「プラグ・アンド・プレイ」のセンサ・ポート及びデータ収集のための中心点で構成され、データは地下設備１５４に送信されてもよい。
【００９７】
この入力情報は、例えば、架空の気象条件、時刻、地理的位置、構造物と相互作用する人及び／又はエンティティ、構造物と相互作用するエンティティのサイズ及び／又は人の数、又は構造物と相互作用する人の経歴情報のうちの一又は複数を含んでもよい。全施設制御パラメータは、例えば、機械的負荷、電気的負荷、温度、湿度、電力使用量、又は水使用量のうちの一又は複数を含んでもよい。構造物の構成要素は、例えば、ヒーター、エアコン、家電製品、シンク、シャワー、蛇口、トイレ、電子装置、照明、窓、扇風機、及び／又はその他の構成要素のうちの一又は複数を含んでもよい。
【００９８】
地下設備１５４は、物理的に及び／又は電子的に、上方の動作中のインフラ及び／又は構造物１２と（有線及び／又は無線で）相互接続されるように構成されてもよい。地下設備１５４は、地上の構造物、インフラ、及び／又は環境１４のその他の局面（例えば、公共設備、安全管理、メンテナンス、データ収集、試験監視など）を動作させるすべてのシステムが配置及び／又は管理されるように構成されてもよい。地下設備１５４は、シミュレーション、試験、及び／又は評価活動において、地上の構造物、インフラ、及び／又は環境１４のその他の局面と相互作用する、分析用及び／又は試験用研究室が配置及び／又は管理されるように構成されてもよい。
【００９９】
地下設備１５４は、主力及び非主力の資源生産活動（例えば、データセンター、発電、浄水など）が配置及び／又は管理されるように構成されてもよく、この資源生産活動では、地上の構造物、インフラ、及び／又は環境１４のその他の局面の使用とは無関係な価値を生産する。地下設備１５４は、水道、電気、電気通信、及び／又はその他の公共設備網に接続されてもよく、及び／又は余分に生産された資源を地上の試験システムから公共網に送るように構成されてもよい。
【０１００】
地下設備１５４は、強化された電磁パルス（ＥＭＰ）、（二方向に）保護された電磁干渉（ＥＭＩ）、試験施設１０のシミュレーションされた環境及び／又は人工構造物の全体にわたって分散している地上のアクセス・ポイント１５６を伴う地下の相互接続された部屋及び／又は通路を含んでもよい。例えば、地下監視設備は、部屋、トンネル、廊下、オフィス、会議室、実験室設備、クリーンルーム、コンピュータ設備、電気通信インフラ、駐車場、車両やスタッフ用食堂などの設備を運搬するための重量物エレベータ・システム、及び／又はその他の設備のうちの一又は複数を含んでもよい。地下設備１５４は、周波数分配真空分析のための一又は複数の無響室を含んでもよく、これらの一又は複数の無響室は、環境１０内の地上に配置された従来のシステムからの周波数ノイズから隔離されている。地下設備１５４は、一又は複数の地上のアクセス・ポイントから入ることができ、これらのアクセス・ポイントはその使用の際にシミュレーションを中断する及び／又はそれに影響を与えることがないように構成される。
【０１０１】
地上キャンパス１５２は、電力、水、電気通信、及び／又はその他の公共設備のための運営及び分配センターとして機能するように構成されてもよい。キャンパス１５２は、試験施設１０の本部、試験施設１０内で試験を行う一又は複数のユーザからのユーザ住人、及び／又はその他の住人を収容するように構成されてもよい。地上監視キャンパス１５２は、一又は複数の廊下、オフィス、会議室、会議場、実験室設備、コンピュータ設備、電気通信インフラ、駐車場、及び／又はその他の設備を収容する一又は複数の構造物を含んでもよい。キャンパス１５２は、高速全地球相互接続電気通信機能、低コストエネルギー、及び／又はその他の公共設備で構成されてもよい。キャンパス１５２は、州連絡高速道路システムの付近、及び／又は国際線ターミナルの付近に配置されてもよい。
【０１０２】
地上監視キャンパス１５２の通常の日常的な使用の際にシミュレーションを中断する及び／又はそれに影響を与えることがないように、地上監視キャンパス１５２はユーザが構成したシミュレーションされた環境１４から離れた（例えば、８ｋｍの）位置に配置されてもよい。試験施設１０は、それ自身の無線アーキテクチャを通してそれ自身のＲＦ信号を生成し、試験施設１０内に配信する。地上監視キャンパス１５２が、ユーザが構成したシミュレーションされた環境１４から（例えば、８ｋｍ）離れて配置されていることにより、試験施設１０は米国連邦通信委員会の放送権利放棄の認可を受けることができる。
【０１０３】
地下設備１５４及び／又は地上キャンパス１５２は、相互に、環境１４と、環境１４内の人工構造物１２と、及び／又は試験施設の外部と、無線又は有線の接続を介して通信するように構成されてもよい。電気通信は専用の光ファイバ接続を有する安全なダクトを通して公衆回線に（試験施設１０の外部に）接続されてもよい。地下設備１５４及び／又は地上キャンパス１５２は、環境１４及び／又は環境１４内の人工構造物１２の拡張に合わせて拡張できるように構成されてもよい。地下設備１５４及び／又は地上キャンバス１５２は、ユーザの仕様に合わせて構成及び／又は再構成されてもよい。地下設備１５４、地上キャンパス１５２、環境１４、及び／又は試験施設１０のその他の構成要素において動作している各種のシステムは、地下監視設備１５４から操作される１箇所の中央システムによって制御されてもよい。
【０１０４】
図１１はシミュレーションされた環境内の人工構造物の使用をシミュレーションする方法１６０を示している。以下で説明する方法１６０の工程は、説明のためのものに過ぎない。一部の実施形態において、方法１６０は、説明されていない一又は複数の追加的な工程を備えて実現されてもよく、説明する工程の一又は複数を省略して実現されてもよい。また、図１１に示されて以下で説明される方法１６０の工程の順序は限定的なものではない。
【０１０５】
一部の実施形態において、方法１６０は、一又は複数の処理装置（例えば、デジタルプロセッサ、アナログプロセッサ、情報処理用のデジタル回路、情報処理用のアナログ回路、ステートマシン、及び／又は電子的に情報を処理する前記以外のメカニズム）において実行され得る。この一又は複数の処理装置には、電子ストレージメディアに電子的に格納された命令に応答して、方法１６０の工程の一部又は全部を実行する一又は複数の装置を備えてもよい。この一又は複数の処理装置には、方法１６０の工程の一又は複数を実行するために設計されたハードウェア、ファームウェア、及び／又はソフトウェアで構成された一又は複数の装置が含まれる。
【０１０６】
工程１６２において、一又は複数の環境が都市環境、郊外環境、及び／又は農村環境をシミュレーションするように構成されてもよい。一部の実施形態において、工程１６２は都市環境３０、郊外環境３２、及び／又は農村環境３４（図２に示す）に類似の環境によって実行される。
【０１０７】
工程１６４において、前記一又は複数のシミュレーションされた環境において、一又は複数の構造物が構築される。一部の実施形態において、工程１６４は構造物１２（図１に示す）と類似の構造物によって実行される。
【０１０８】
工程１６６において、一又は複数のシミュレーションされた環境内の一又は複数の構造物の使用がシミュレーションされる。一部の実施形態において、工程１６６はプロセッサ２０（図１に示す）と類似のプロセッサによって実行される。
【０１０９】
図１２は試験施設の使用を調整する方法１７０を示す。以下で説明する方法１７０の工程は、説明のためのものに過ぎない。一部の実施形態において、方法１７０は、説明されていない一又は複数の追加的な工程を備えて実現されてもよく、説明する工程の一又は複数を省略して実現されてもよい。また、図１２に示されて以下で説明される方法１７０の工程の順序は限定的なものではない。
【０１１０】
一部の実施形態において、方法１７０は、一又は複数の処理装置（例えば、デジタルプロセッサ、アナログプロセッサ、情報処理用のデジタル回路、情報処理用のアナログ回路、ステートマシン、及び／又は電子的に情報を処理する前記以外のメカニズム）において実行され得る。この一又は複数の処理装置には、電子ストレージメディアに電子的に格納された命令に応答して、方法１７０の工程の一部又は全部を実行する一又は複数の装置を備えてもよい。この一又は複数の処理装置には、方法１７０の工程の一又は複数を実行するために設計されたハードウェア、ファームウェア、及び／又はソフトウェアで構成された一又は複数の装置が含まれる。
【０１１１】
工程１７２において、ユーザはシミュレーション情報を入力してもよい。この入力情報は、例えば、周囲条件、架空の気象条件、時刻、地理的位置、人工構造物と相互作用する人及び／又はエンティティ、当該構造物と相互作用するエンティティのサイズ及び／又は人の数、当該構造物と相互作用する人の経歴情報、及び／又はその他の入力情報のうちの一又は複数を含んでもよい。一部の実施形態において、工程１７２はユーザ２４及び／又はユーザー・インターフェース１６（図１に示す）に類似のユーザ及び／又はユーザー・インターフェースによって実行される。
【０１１２】
工程１７４において、施設制御パラメータが決定されてもよい。全施設制御パラメータは、例えば、機械的負荷、電気的負荷、温度、湿度、電力使用量、水使用量、及び／又はその他のパラメータのうちの一又は複数を含んでもよい。一部の実施形態において、工程１７４はプロセッサ２０（図１に示す）と類似のプロセッサによって実行されてもよい。
【０１１３】
工程１７６において、試験施設は決定された制御パラメータに基づいて調整されてもよい。制御パラメータに基づいて試験施設を調整することによって、シミュレーションされた環境内の人工構造物の使用のシミュレーションをユーザ入力によって行うことができる。一部の実施形態において、工程１７６はプロセッサ２０（図１に示す）と類似のプロセッサによって実行されてもよい。
【０１１４】
図１３は、シミュレーションされた環境内の人工構造物の使用をシミュレーションし、当該シミュレーションされた環境及び／又は当該シミュレーションされた環境内の人工構造物のシミュレーションされた使用を監視する方法１８０を示す。以下で説明する方法１８０の工程は、説明のためのものに過ぎない。一部の実施形態において、方法１８０は、説明されていない一又は複数の追加的な工程を備えて実現されてもよく、説明する工程の一又は複数を省略して実現されてもよい。また、図１３に示されて以下で説明される方法１８０の工程の順序は限定的なものではない。
【０１１５】
一部の実施形態において、方法１８０は、一又は複数の処理装置（例えば、デジタルプロセッサ、アナログプロセッサ、情報処理用のデジタル回路、情報処理用のアナログ回路、ステートマシン、及び／又は電子的に情報を処理する前記以外のメカニズム）において実行され得る。この一又は複数の処理装置には、電子ストレージメディアに電子的に格納された命令に応答して、方法１８０の工程の一部又は全部を実行する一又は複数の装置を備えてもよい。この一又は複数の処理装置には、方法１８０の工程の一又は複数を実行するために設計されたハードウェア、ファームウェア、及び／又はソフトウェアで構成された一又は複数の装置が含まれる。
【０１１６】
工程１８２において、一又は複数の環境が都市環境、郊外環境、及び／又は農村環境をシミュレーションするように構成されてもよい。一部の実施形態において、工程１８２は都市環境３０、郊外環境３２、及び／又は農村環境３４（図２に示す）に類似の環境によって実行されてもよい。
【０１１７】
工程１８４において、前記一又は複数のシミュレーションされた環境において、一又は複数の構造物が構築されてもよい。一部の実施形態において、工程１８４は構造物１２（図１に示す）と類似の構造物によって実行されてもよい。
【０１１８】
工程１８６において、一又は複数のシミュレーションされた環境内の一又は複数の構造物の使用がシミュレーションされてもよい。一部の実施形態において、工程１８６はプロセッサ２０（図１に示す）と類似のプロセッサによって実行されてもよい。
【０１１９】
工程１８８において、一又は複数のシミュレーションされた環境及び／又は一又は複数のシミュレーションされた環境内の一又は複数の構造物の使用が監視されてもよい。監視は、入力情報のアップロード及び／又は監視、全施設制御パラメータの監視、及び／又は推計された構造物固有の構成要素制御パラメータの監視を含んでもよい。一部の実施形態において、工程１８８は監視施設１５０（図１０に示す）によって実行されてもよい。
【０１２０】
図１４はシミュレーションされた環境内に再構成可能な構造物を構築する方法１９０を示している。以下で説明する方法１９０の工程は、説明のためのものに過ぎない。一部の実施形態において、方法１９０は、説明されていない一又は複数の追加的な工程を備えて実現されてもよく、説明する工程の一又は複数を省略して実現されてもよい。また、図１４に示されて以下で説明される方法１９０の工程の順序は限定的なものではない。
【０１２１】
工程１９２において、一又は複数の環境が都市環境、郊外環境、及び／又は農村環境をシミュレーションするように構成されてもよい。一部の実施形態において、工程１９２は都市環境３０、郊外環境３２、及び／又は農村環境３４（図２に示す）に類似の環境によって実行されてもよい。
【０１２２】
工程１９４において、ユーザは、将来の建築物との接続及び／又は将来の試験のために構成された、再構成可能なモジュール式の構造物を構築してもよい。一部の実施形態において、工程１９４は構造物１２（図１に示す）と類似の構造物によって実行されてもよい。
【０１２３】
工程１９６において、再構成可能なモジュール式の構造物は、公共設備及び／又はその他の設備を接続／切断するための外部ポートを用いて構成されてもよい。一部の実施形態において、工程１９６は構造物１２（図１に示す）と類似の構造物によって実行されてもよい。
【０１２４】
工程１９８において、再構成可能なモジュール式の構造物は、当該構造物に対する将来の追加の構築、及び／又はその他将来の構築のための機械的接続点を用いて構成されてもよい。一部の実施形態において、工程１９８は構造物１２（図１に示す）と類似の構造物によって実行されてもよい。
【０１２５】
工程２００において、公共設備は試験施設の未開発環境に事前敷設されてもよい。事前敷設された公共設備は、水道、電力、又は電気のうちの一又は複数を含んでもよい。一部の実施形態において、工程１８２は都市環境３０、郊外環境３２、及び／又は農村環境３４（図２に示す）に類似の環境によって実行されてもよい。
【０１２６】
以上、現時点で最も実用的であり好ましいと考えられる態様に基づいて、本開示のシステムや方法を例示のために詳細に説明したが、このような詳細な説明は例示のみを目的としたものである。本開示は開示された実施形態に限定されるものではなく、むしろ添付された特許請求の範囲の趣旨及び範囲に入る変形や均等な配置も本発明に含められることが意図されている。例えば、本開示においては、あらゆる実施形態の一又は複数の特徴を他の実施形態の一又は複数の特徴と可能な限り結合することができる。
【図１】
2015518563.tif 000003
【図２】
2015518563.tif 000004
【図３】
2015518563.tif 000005
【図４】
2015518563.tif 000006
【図５】
2015518563.tif 000007
【図６】
2015518563.tif 000008
【図７】
2015518563.tif 000009
【図８】
2015518563.tif 000010
【図９】
2015518563.tif 000011
【図１０】
2015518563.tif 000012
【図１１】
2015518563.tif 000013
【図１２】
2015518563.tif 000014
【図１３】
2015518563.tif 000015
【図１４】
2015518563.tif 000016
【国際調査報告】
2015518563.tif 000017
2015518563.tif 000018
2015518563.tif 000019